(57)【要約】【課題】「１世代のみコピー可」のコピー制御信号が付加された高品質なデジタルコンテンツを携帯端末を用いて持ち歩けるようにし、かつ録画装置のオリジナルのデジタルコンテンツを品質を維持したまま保存できるようにする。【解決手段】録画データ管理装置１０１ａは、録画データ記録装置１０１ｃに蓄積されている録画データをフォーマット変換させ、リムーバブルメディア１０２に書き込ませる。そして、録画データ管理装置１０１ａは、録画情報テーブル１０１ｂの出力状態情報２４を「出力中」に更新して録画データへの操作を禁止する。また、録画データ管理装置１０１ａは、新たにリムーバブルメディア１０２がリムーバブルメディア装置１０１ｅに挿入された際に、リムーバブルメディア１０２から削除されている録画データに対応する録画情報テーブル１０１ｂの出力状態情報２４を更新して、その録画データへの操作を再度可能とする。【選択図】図１
2012019529.tif 000002
【特許請求の範囲】
【請求項１】
コピー制御信号を含むコンテンツを出力するコンテンツコピー制御装置であって、
前記コンテンツを蓄積するコンテンツ記憶手段と、
前記コンテンツをフォーマット変換するフォーマット変換手段と、
フォーマット変換された前記コンテンツの出力状態を記憶する出力状態記憶手段と、
前記出力状態にもとづいて、出力している前記コンテンツのオリジナルコンテンツへの操作を禁止するコンテンツ操作制御手段と、
を備えることを特徴とするコンテンツコピー制御装置。
【請求項２】
前記出力している前記コンテンツの削除に伴い、前記コンテンツ操作制御手段が前記オリジナルコンテンツへの操作を許可することを特徴とする請求項１記載のコンテンツコピー制御装置。
【請求項３】
前記出力している前記コンテンツの削除に応じて前記出力情報記憶手段の出力情報が更新され、前記コンテンツ操作制御手段が前記オリジナルコンテンツへの操作を許可することを特徴とする請求項１記載のコンテンツコピー制御装置。
【請求項４】
前記フォーマット変換された前記コンテンツの出力先が、リムーバブルメディアであることを特徴とする請求項１記載のコンテンツコピー制御装置。
【請求項５】
前記フォーマット変換された前記コンテンツの出力先が、再生端末であることを特徴とする請求項１記載のコンテンツコピー制御装置。
【請求項６】
前記出力状態記憶手段は、コンテンツの出力先の識別情報を記憶することを特徴とする請求項１記載のコンテンツコピー制御装置。
【請求項７】
前記コンテンツ操作制御手段は、再生端末に対して前記フォーマット変換された前記コンテンツの削除を指示する機能を備えることを特徴とする請求項５記載のコンテンツコピー制御装置。
【請求項８】
録画装置が出力したコンテンツを記憶する再生端末であって、
前記録画装置は、
フォーマット変換されたコピー制御信号を含むコンテンツの出力状態を管理し、前記出力状態に応じて、出力している前記フォーマット変換されたコンテンツのオリジナルコンテンツへの操作を制御する手段を有し、
前記再生端末は、
前記録画装置との接続のためのインターフェイス部を有し、
前記インターフェイス部を介した前記録画装置からの削除指示により前記再生端末内の前記フォーマット変換されたコンテンツが削除される
ことを特徴とする再生端末。
【発明の詳細な説明】
【技術分野】
【０００１】
本発明は、記録装置に蓄積されたデジタルコンテンツをリムーバブルメディア等の再生端末に、一回だけコピーする際におけるコンテンツコピー制御装置およびコンテンツコピー制御方法に関し、特に、コンテンツのフォーマット変換を伴うコピーを行う際のコンテンツの品質劣化を抑制するコンテンツコピー制御装置およびコンテンツコピー制御方法に関する。
【背景技術】
【０００２】
近年、一般的に、ＤＶＤに蓄積されたデジタルコンテンツやデジタルテレビ放送などのデジタルコンテンツは、著作権を保護するためにコンテンツのコピー制御信号を付加される。例えば、デジタルテレビ放送のデジタルコンテンツは、一切のコピー処理を禁止する「コピー禁止」、一回だけのコピー処理を許可する「１世代のみコピー可」、またはコピー処理の制限をしない「制約条件なしにコピー可」などのコピー制御属性を含むデジタルコピー制御情報を付加される。特に、地上・ＢＳデジタルテレビ放送では、２００４年４月より「１世代のみコピー可」のコピー制御信号をデジタルコンテンツに加えられて放送が行なわれている。また、地上・ＢＳデジタルテレビ放送では、Ｂ−ＣＡＳカードと呼ばれる制御用カードを用いたコピー制御が行われている（非特許文献１を参照）。また、例えば、特許文献１の段落００３３−００６４、図３−４には、１回のみのコピーを許可された情報に対して、複数回のコピーを確実に禁止することができるプログラムが記載されている。
【０００３】
また、最近では、録画したアナログテレビ放送の放送番組や、Digital Video （ＤＶ）規格で録画したコンテンツ（通常のテレビジョン受像機で見るためのコンテンツ）を、高圧縮率フォーマットに変換して携帯端末で視聴できるようにした製品がある。例えば、ＭＰＥＧ４に変換したりWindows Media Technology（ＷＭＴ）を用いて変換することによって、コンテンツをより小さい画面用の高圧縮率フォーマットに変換して持ち歩けるようにすることが行われている。また、変換したコンテンツをポータブルプレイヤやＰＤＡ、携帯電話機等の再生端末で視聴できるようにすることが行われている。
【先行技術文献】
【特許文献】
【０００４】
【特許文献１】特開２００３−２６３３７０号公報
【非特許文献】
【０００５】
【非特許文献１】社団法人地上デジタル放送推進協会、Ｗｅｂページ B−ＣＡＳカードとコピー制御、 ＵＲＬ:http://www.d-pa.org/copyctr/index.html［平成１６年４月８日検索］、http://www.d-pa.org/copyctr/［平成１７年４月１２日検索］、http://www.dpa.or.jp/copyctr/index.html［平成２３年８月１５日検索］
【発明の概要】
【発明が解決しようとする課題】
【０００６】
しかし、「１世代のみコピー可」のコピー制御信号を付加されたデジタルテレビ放送のコンテンツをＤＶＤレコーダやハードディスクレコーダなど録画装置を用いて録画し、録画したデータをポータブルプレイヤや携帯電話機等の再生端末を用いて視聴する場合、「一世代のみコピー可」の条件は満たされているにも拘わらず、以下の問題がある。
【０００７】
例えば、録画したコンテンツをＭＰＥＧ４などの携帯端末向けフォーマットに変換して持ち歩く場合、コピー制御信号による制御よって、携帯端末向けフォーマットのデータを再生端末に書き出すとともにオリジナルデータが録画装置から削除される。そのため、再び同じデータ（コンテンツ）を通常のテレビジョン受像機などで視聴したい場合、携帯端末向けフォーマットに変換して画質が劣化（低解像度、低フレームレートなど）したデータを用いて再生しなければならない。
【０００８】
携帯端末向けフォーマットに変換したデータを再度通常のテレビジョン受像機などで元の画質で使用できるようにするためには、時間をかけてフォーマットの逆変換を行うか、携帯端末向けフォーマットを通常のテレビジョン受像機で使用できるようにしなければならない。
【０００９】
また、ＤＶＤレコーダやハードディスクレコーダに録画したデータをフォーマット変換せずにそのまま再生端末で視聴できるようにすると、再生端末のコストやサイズが大きくなり、持続時間の長い電池を用いなければならない。
【００１０】
そこで、本発明は、「１世代のみコピー可」のコピー制御信号が付加された高品質なデジタルコンテンツを、携帯端末を用いて持ち歩けるようにし、かつ録画装置のオリジナルのデジタルコンテンツを、品質を維持したまま保存できるコンテンツコピー制御装置およびコンテンツコピー制御方法を提供することを目的とする。
【課題を解決するための手段】
【００１１】
具体的に説明すると、本発明によるコンテンツコピー制御装置は、持ち運び可能なリムーバブルメディアにコンテンツをコピーするコンテンツコピー制御装置であって、コンテンツを蓄積するコンテンツ記憶手段と、コンテンツ記憶手段が蓄積するコンテンツと、リムーバブルメディアにコンテンツを出力中であるか否かを示す出力状態情報とを対応付けたコンテンツ情報テーブルを記憶するテーブル記憶手段と、テーブル記憶手段が記憶するコンテンツ情報テーブルにもとづいて、コンテンツ記憶手段が蓄積するコンテンツのうち、リムーバブルメディアに出力中であるコンテンツへの操作を禁止するコンテンツ操作禁止手段とを備えたことを特徴とする。なお、コンテンツへの操作とは、例えば、ユーザによるコンテンツの出力や再生、編集、移動の指示入力のことである。また、操作を禁止するとは、例えば、コンテンツが外部のリムーバブルメディアに出力中であると判断した場合に、指示された操作処理を実行しないように制御することをいう。
【００１２】
また、コンテンツコピー制御装置は、コンテンツとして録画データを蓄積する録画装置と、録画データを再生する再生端末とを備え、持ち運び可能なリムーバブルメディアに録画データをコピーするコンテンツコピー制御装置であって、録画装置は、録画装置が蓄積する録画データと、リムーバブルメディアに録画データを出力中であるか否かを示す出力状態情報とを対応付けた録画情報テーブルを記憶するテーブル記憶手段と、テーブル記憶手段が記憶する録画情報テーブルにもとづいて、録画装置が蓄積する録画データのうち、リムーバブルメディアに出力中である録画データへの操作を禁止する録画データ操作禁止手段と、録画データをフォーマット変換するフォーマット変換手段と、フォーマット変換手段がフォーマット変換した録画データをリムーバブルメディアに書き込みまたは削除する録画データ書き込み手段とを含み、再生端末は、リムーバブルメディアから録画データを読み込みまたは削除する録画データ読み込み手段と、リムーバブルメディアに記憶されている録画データの再生または削除を指示する再生削除指示手段と、再生削除指示手段の指示に従って、リムーバブルメディアに記憶されている録画データを再生または出力する再生手段とを含むものであってもよい。
【００１３】
また、コンテンツコピー制御装置は、リムーバブルメディアに書き込んだ録画データを削除する時間を設定する削除時間設定手段を備え、再生削除指示手段は、削除時間設定手段が設定した設定時間に従って、リムーバブルメディアに録画データを書き込んでから所定時間経過後に、リムーバブルメディアからの録画データの削除を指示し、録画データ操作禁止手段は、削除時間設定手段が設定した設定時間に従って、再生削除指示手段が録画データを削除した時刻と同じ時刻に、削除した録画データに対応する録画情報テーブルの出力状態情報を出力中でない旨を示す情報に更新するものであってもよい。そのような構成によれば、録画データを出力した後のリムーバブルメディアからの録画データの削除が自動化され、ユーザの入力操作を簡単化することができる。
【００１４】
また、再生端末は、リムーバブルメディアから録画データを削除した旨を示す削除通知情報を録画装置に送信する削除通知送信手段を含み、録画データ操作禁止手段は、再生端末から受信した削除通知情報にもとづいて、削除した録画データに対応する録画情報テーブルの出力状態情報を出力中でない旨を示す情報に更新するものであってもよい。そのような構成によれば、録画データを書き込んだリムーバブルメディアの録画データの削除動作およびオリジナルの録画データの再生要求を通信手段を用いて通知でき、ユーザの入力操作を簡単化することができる。
【００１５】
また、録画装置は、フォーマット変換手段がフォーマット変換した録画データを再生端末に出力する録画データ出力手段を含み、再生端末は、録画データ出力手段が出力した録画データを入力する録画データ入力手段と、録画データ入力手段が入力した録画データを蓄積する録画データ記憶手段とを含み、テーブル記憶手段は、録画装置が蓄積する録画データと、録画データが再生端末に出力中であるか否かを示す出力状態情報とを対応付けた録画情報テーブルを記憶し、録画データ操作禁止手段は、録画情報テーブルにもとづいて、録画装置が蓄積する録画データのうち、再生端末に出力中である録画データへの操作を禁止し、再生削除指示手段は、録画データ記憶手段に蓄積されている録画データの再生または削除を指示し、再生手段は、再生削除指示手段の指示に従って、録画データ記憶手段に蓄積されている録画データを再生または出力するものであってもよい。
【００１６】
本発明によるコンテンツコピー制御方法は、リムーバブルメディアにコンテンツをコピーするコンテンツコピー制御方法であって、コンテンツを蓄積するステップと、蓄積するコンテンツと、持ち運び可能なリムーバブルメディアにコンテンツを出力中であるか否かを示す出力状態情報とを対応付けたコンテンツ情報テーブルにもとづいて、蓄積したコンテンツのうち、リムーバブルメディアに出力中であるコンテンツへの操作を禁止するステップとを含むことを特徴とする。
【００１７】
また、コンテンツコピー制御方法は、コンテンツとして録画データを蓄積する録画装置が、蓄積する録画データと、持ち運び可能なリムーバブルメディアに録画データを出力中であるか否かを示す出力状態情報とを対応付けた録画情報テーブルにもとづいて、録画装置が蓄積する録画データのうち、リムーバブルメディアに出力中である録画データへの操作を禁止するステップと、録画装置が、録画データをフォーマット変換するステップと、録画装置が、フォーマット変換した録画データをリムーバブルメディアに書き込みまたは削除するステップと、録画データを再生する再生端末が、リムーバブルメディアから録画データを読み込みまたは削除するステップと、再生端末が、リムーバブルメディアに記憶されている録画データの再生または削除を指示するステップと、再生端末が、リムーバブルメディアに記憶されている録画データを再生または出力するステップとを含むものであってもよい。
【００１８】
また、コンテンツコピー制御方法は、リムーバブルメディアに書き込んだ録画データを削除する時間を設定するステップと、再生端末が、設定された設定時間に従って、リムーバブルメディアに録画データを書き込んでから所定時間経過後に、リムーバブルメディアから録画データを削除するステップと、録画装置が、設定された設定時間に従って、録画データが削除された時刻と同じ時刻に、削除された録画データに対応する録画情報テーブルの出力状態情報を出力中でない旨を示す情報に更新するステップとを含むものであってもよい。そのような構成によれば、録画データを出力した後のリムーバブルメディアからの録画データの削除が自動化され、ユーザの入力操作を簡単化することができる。
【００１９】
また、コンテンツコピー制御方法は、再生端末が、リムーバブルメディアから録画データを削除した旨を示す削除通知情報を録画装置に送信するステップと、録画装置が、再生端末から受信した削除通知情報にもとづいて、削除した録画データに対応する録画情報テーブルの出力状態情報を出力中でない旨を示す情報に更新するステップとを含むものであってもよい。そのような構成によれば、録画データを書き込んだリムーバブルメディアの録画データの削除動作およびオリジナルの録画データの再生要求を通信手段を用いて通知でき、ユーザの入力操作を簡単化することができる。
【００２０】
また、コンテンツコピー制御方法は、録画装置が、録画装置が蓄積する録画データと、録画データが再生端末に出力中であるか否かを示す出力状態情報とを対応付けた録画情報テーブルにもとづいて、録画装置が蓄積する録画データのうち、再生端末に出力中である録画データへの操作を禁止するステップと、録画装置が、フォーマット変換した録画データを再生端末に出力するステップと、再生端末が、録画装置が出力した録画データを入力するステップと、再生端末が、入力した録画データを蓄積するステップと、再生端末が、蓄積した録画データの再生または削除を指示するステップと、再生端末が、蓄積した録画データを再生または出力するステップとを含むものであってもよい。
【発明の効果】
【００２１】
本発明によれば、持ち運び可能なリムーバブルメディアにコンテンツをコピーする。また、蓄積するコンテンツのうち、外部のリムーバブルメディアに出力中であるコンテンツへの操作を禁止する。従って、「１世代のみコピー可」のコピー制御信号が付加された高品質なデジタルコンテンツを携帯端末を用いて持ち歩けるようにし、かつ録画装置のオリジナルのデジタルコンテンツを品質を維持したまま保存することができる。
【図面の簡単な説明】
【００２２】
【図１】コンテンツコピー制御装置の構成の一例を示すブロック図である。
【図２】録画情報テーブル１０１ｂの内容の例を示す説明図である。
【図３】録画データをリムーバブルメディア１０２に出力する際の録画データ管理装置１０１ａが行う出力制御処理の一例を示す流れ図である。
【図４】新たにリムーバブルメディア１０２がリムーバブルメディア装置１０１ｅに挿入された際に録画データ管理装置１０１ａが実行する制御処理の一例を示す流れ図である。
【図５】リムーバブルメディア１０２に記憶されている録画データを削除する際に録画データ管理装置１０１ａが実行する削除制御処理の一例を示す流れ図である。
【図６】コンテンツコピー制御装置の他の構成例を示すブロック図である。
【図７】コンテンツコピー制御装置のさらに他の構成例を示すブロック図である。
【図８】コンテンツコピー制御装置のさらに他の構成例を示すブロック図である。
【図９】録画情報テーブル４０１ｂの内容の例を示す説明図である。
【発明を実施するための形態】
【００２３】
実施の形態１．
以下、本発明の第１の実施の形態を図面を参照して説明する。図１は、本発明によるコンテンツコピー制御装置の構成の一例を示すブロック図である。本実施の形態では、ユーザは、再生端末向けにフォーマット変換した録画データ（デジタルコンテンツ）をリムーバブルメディアに記録して持ち歩くことができる。また、本実施の形態では、録画装置が蓄積するオリジナルの録画データを品質を維持したまま保存することができる。
【００２４】
図１に示すように、コンテンツコピー制御装置は、ＤＶＤレコーダやハードディスクレコーダなどの録画装置１０１と、ポータブルプレイヤや携帯電話機などの再生端末１０３とを含む。録画装置１０１は、録画データ管理装置１０１ａと、録画情報テーブル１０１ｂと、録画データ記録装置１０１ｃと、フォーマット変換装置１０１ｄと、リムーバブルメディア装置１０１ｅとを含む。また、再生端末１０３は、リムーバブルメディア装置１０３ａと、ストリーム再生装置１０３ｂと、ストリーム管理装置１０３ｃとを含む。
【００２５】
録画データ管理装置１０１ａは、具体的には、プログラムに従って動作する録画装置１０１のＣＰＵによって実現される。録画データ管理装置１０１ａは、録画情報テーブル１０１ｂを用いて、録画データ記録装置１０１ｃが記憶する録画データを管理する機能を備える。
【００２６】
録画データ管理装置１０１ａは、録画データ記録装置１０１ｃに蓄積されている録画データのリムーバブルメディア１０２への出力をフォーマット変換装置１０１ｄに指示し、出力させた録画データを録画情報テーブル１０１ｂに記録する機能を備える。また、録画データ管理装置１０１ａは、リムーバブルメディア１０２に記憶されている録画データを確認し、リムーバブルメディア１０２から削除されている録画データの情報を録画情報テーブル１０１ｂに反映する機能を備える。また、録画データ管理装置１０１ａは、リムーバブルメディア装置１０１ｅに対して、挿入されているリムーバブルメディア１０２のデータ削除を指示する機能を備えてもよい。
【００２７】
録画情報テーブル（コンテンツ情報テーブル）１０１ｂは、録画データ記録装置１０１ｃに蓄積されている録画データの一覧情報を含むテーブルである。本実施の形態では、録画情報テーブル１０１ｂは、録画データ管理装置１０１ａからの指示にもとづき録画データ記録装置１０１ｃに蓄積されている録画データを管理するために用いられる。録画情報テーブル１０１ｂは、具体的には、録画装置１０１の記憶装置（図示せず）に記憶される。
【００２８】
図２は、録画情報テーブル１０１ｂの内容の例を示す説明図である。図２に示すように、録画情報テーブル１０１ｂは、録画データ名称２１（「ＡＡＡ」〜「ＤＤＤ」）に対応付けて、それぞれ録画時間２２、コピー制御情報２３、録画データの出力状態（以下、出力状態情報という）２４、および出力先のメディアＩＤ２５を含む。
【００２９】
図２において、録画データ名称２１は、録画データ記録装置１０１ｃが記憶する録画データのデータ名である。録画時間２２は、各録画データの録画時間である。コピー制御情報２３は、録画データに付加されているコピー制御情報（信号）である。本実施の形態では、録画情報テーブル１０１ｂは、コピー制御情報２３として、「１世代のみコピー可」または「制限条件なしにコピー可」を含む。
【００３０】
出力状態情報２４は、録画データが外部のリムーバブルメディアに出力中であるか否かを示す情報である。例えば、録画データが外部のリムーバブルメディアに出力中である場合、録画情報テーブル１０１ｂは、その出力中の録画データに対応する出力状態情報２４として「リムーバブルメディア出力中」を含む。メディアＩＤ２５は、録画データが出力されているリムーバブルメディアのＩＤである。例えば、録画データが外部のリムーバブルメディアに出力中である場合、録画情報テーブル１０１ｂは、その出力中の録画データに対応するメディアＩＤ２５としてＩＤ「１２３４５６７８９０」などを含む。
【００３１】
出力先のメディアＩＤ２５については、ＩＤ付きリムーバブルメディアを用いる場合、各リムーバブルメディアのＩＤをメディアＩＤ２５として用いればよい。また、ＩＤを持たないリムーバブルメディアを用いる場合、録画装置１０１が録画データをリムーバブルメディアに書き込む際にメディアごとにユニークなＩＤを生成してメディアに書き込んでもよい。
【００３２】
なお、図２において、コピー制御情報２３「１世代のみコピー可」の録画データの情報うち出力状態情報２４およびメディアＩＤ２５が空欄となっている録画データの情報は、その録画データが外部のリムーバブルメディアに出力中でないことを示す。例えば、図２に示す例では、録画データ名称２１「ＡＡＡ」，「ＤＤＤ」の録画データが外部のリムーバブルメディアに出力中であることを示し、録画データ名称２１「ＣＣＣ」の録画データが外部のリムーバブルメディアに出力中でないことを示す。
【００３３】
録画データ記録装置１０１ｃは、具体的には、ハードディスク装置やＤＶＤ−ＲＡＭ、メモリなどによって実現される。録画データ記録装置１０１ｃは、デジタルテレビ放送やインターネット放送などのデジタルコンテンツを記憶する機能を備える。なお、録画データ記録装置１０１ｃは、デジタルテレビ放送やインターネット放送の録画データだけではなく、ケーブルテレビ放送やデジタルラジオ放送のコンテンツを記憶してもよい。また、録画データ記録装置１０１ｃは、ユーザが購入した映像ストリームを記憶してもよい。さらに、録画データ記録装置１０１ｃは、アナログ放送をデジタルに符号化したコンテンツなどを記憶してもよく、コピー制御情報を含むものであれば他のどのようなコンテンツを記憶してもよい。
【００３４】
フォーマット変換装置１０１ｄは、具体的には、フォーマット変換機能を備えたチップや、ソフトウェアに従って動作する録画装置１０１のＣＰＵによって実現される。フォーマット変換装置１０１ｄは、録画データ管理装置１０１ａの指示に従って、録画データ記録装置１０１ｃに記憶されている録画データを、再生端末１０３で再生できるフォーマットに変換する機能を備える。また、フォーマット変換装置１０１ｄは、フォーマット変換した録画データをリムーバブルメディア装置１０１ｅに出力する機能を備える。フォーマット変換装置１０１ｄは、例えば、録画データ記録装置１０１ｃに記憶されているデータをリムーバブルメディア向けのフォーマットに変換する。例えば、フォーマット変換装置１０１ｄは、録画データを、ＳＤ−Ｖｉｄｅｏ、ＤＶＤ−ＶｉｄｅｏまたはＭＰ３形式や、ＷＭＴで用いられるフォーマット形式に変換する。
【００３５】
リムーバブルメディア装置１０１ｅは、具体的には、既存の様々な記録メディア読取装置によって実現される。例えば、リムーバブルメディア装置１０１ｅは、ＳＤメモリカード、メモリスティック、コンパクトフラッシュ（登録商標）またはスマートメディアなどの記録媒体の読取装置や、ＣＤ−ＲＷドライブ、ＤＶＤ−ＲＡＭドライブ、ＤＶＤ−ＲＷドライブ、ＤＶＤ＋ＲＷドライブなどによって実現される。
【００３６】
リムーバブルメディア装置１０１ｅは、フォーマット変換装置１０１ｄから入力されたフォーマット変換済み録画データを、リムーバブルメディア１０２に書き込む機能を備える。また、リムーバブルメディア装置１０１ｅは、新たに挿入されたリムーバブルメディア１０２に記憶されている録画データを読み込む機能を備える。また、リムーバブルメディア装置１０１ｅは、録画データ管理装置１０１ａから録画データの削除を指示された場合、挿入されているリムーバブルメディア１０２に記憶されている録画データを削除する機能を備えてもよい。
【００３７】
リムーバブルメディア１０２は、具体的には、既存の様々な記録メディアによって実現される。例えば、リムーバブルメディア１０２は、ＳＤメモリカードやメモリスティック、コンパクトフラッシュ（登録商標）、スマートメディア、ＣＤ−ＲＷ、ＤＶＤ−ＲＡＭ、ＤＶＤ−ＲＷ、ＤＶＤ＋ＲＷなどによって実現される。本実施の形態では、リムーバブルメディア１０２は、録画装置１０１に蓄積されている録画データを再生端末１０３で再生するため、ユーザが録画データを持ち運ぶために用いられる。
【００３８】
リムーバブルメディア装置１０３ａは、具体的には、既存の様々な記録メディア読取装置によって実現される。例えば、リムーバブルメディア装置１０３ａは、ＳＤメモリカード、メモリスティック、コンパクトフラッシュ（登録商標）またはスマートメディアなどの記録媒体の読取装置や、ＣＤ−ＲＷドライブ、ＤＶＤ−ＲＡＭドライブ、ＤＶＤ−ＲＷドライブ、ＤＶＤ＋ＲＷドライブなどによって実現される。
【００３９】
リムーバブルメディア装置１０３ａは、ストリーム管理装置１０３ｃの指示に従って、リムーバブルメディア１０２に記憶されている録画データを読み出してストリーム再生装置１０３ｂに出力する機能を備える。また、リムーバブルメディア装置１０３ａは、リムーバブルメディア１０２に記憶されている録画データを削除する機能を備えてもよい。
【００４０】
ストリーム再生装置１０３ｂは、具体的には、既存の様々なデジタルコンテンツ再生装置によって実現される。例えば、ストリーム再生装置１０３ｂは、ＤＶＤ−Ｖｉｄｅｏ再生装置やＳＤ−Ｖｉｄｅｏ再生装置などによって実現される。ストリーム再生装置１０３ｂは、リムーバブルメディア装置１０３ａから渡された録画データを再生する機能を備える。また、ストリーム再生装置１０３ｂは、復号したデジタルデータを出力するスピーカやモニタなどを備えてもよい。
【００４１】
ストリーム管理装置１０３ｃは、具体的には、プログラムに従って動作する再生端末１０３のＣＰＵによって実現される。ストリーム管理装置１０３ｃは、リムーバブルメディア１０２に保存されている録画データの再生や出力を、ストリーム再生装置１０３ｂに指示する機能を備える。また、ストリーム管理装置１０３ｃは、リムーバブルメディア装置１０３ａに挿入されたリムーバブルメディア１０２に記憶されている録画データの削除を指示する機能を備えてもよい。
【００４２】
本実施の形態において、コンテンツ記憶手段は、録画データ記録装置１０１ｃによって実現される。テーブル記憶手段は、録画情報テーブル１０１ｂを記憶する録画装置１０１の記憶装置によって実現される。コンテンツ操作禁止手段および録画データ操作禁止手段は、録画データ管理装置１０１ａによって実現される。録画データ書き込み手段は、リムーバブルメディア装置１０１ｅによって実現される。フォーマット変換手段は、フォーマット変換装置１０１ｄによって実現される。録画データ読み込み手段は、リムーバブルメディア装置１０３ａによって実現される。再生削除指示手段は、ストリーム管理装置１０３ｃによって実現される。再生手段は、ストリーム再生装置１０３ｂによって実現される。
【００４３】
次に、動作について説明する。本実施の形態では、録画データを外部のメディアに出力すると、録画データ管理装置１０１ａは、出力した録画データに対応する録画情報テーブル１０１ｂの情報を出力中に更新する。また、外部のメディアから録画データを削除した場合や既に録画データが削除されている場合、録画データ管理装置１０１ａは、削除済みの録画データに対応する録画情報テーブル１０１ｂの情報を出力中でない状態に更新する。
【００４４】
また、ユーザによって録画データの出力や再生、編集、移動を指示入力（以下、単に操作ともいう）されると、録画データ管理装置１０１ａは、ソフトウェアプログラムにしたがって以下の動作を実行する。即ち、録画データ管理装置１０１ａは、録画情報テーブル１０１ｂにもとづいて、操作を指示された録画データが外部のメディアに既に出力中であるか否か判断する。既に出力中であると判断すると、録画データ管理装置１０１ａは、ユーザによって指示された操作処理を実行しないように制御する。また、出力中でないと判断すると、録画データ管理装置１０１ａは、ユーザによって指示された操作処理を実行するように制御する。
【００４５】
本実施の形態では、録画データの出力時に録画情報テーブル１０１ｂを更新したり、録画データが外部に出力中であると判断した場合に指示された操作処理を実行しないように制御したりする録画データ管理装置１０１ａの処理を包括的に表現する場合、録画データへの操作を禁止するともいう。また、削除済みの録画データについて録画情報テーブル１０１ｂを更新したり、録画データが外部に出力中でないと判断した場合に指示された操作処理を実行するように制御したりする録画データ管理装置１０１ａの処理を包括的に表現する場合、録画データへの操作を許可するとも表現する。
【００４６】
以下、コンテンツコピー制御装置の動作を場合を分けて説明する。まず、録画データをリムーバブルメディア１０２に出力する場合の動作を説明する。図３は、録画データをリムーバブルメディア１０２に出力する際の録画データ管理装置１０１ａが行う出力制御処理の一例を示す流れ図であり、この出力制御処理はプログラムにしたがって実行される。録画データ管理装置１０１ａは、例えば、「１世代のみコピー可」のコピー制御情報を付加された録画データの出力をユーザによって指示されると、録画データのリムーバブルメディア１０２への出力制御処理を実行する。なお、録画データ管理装置１０１ａは、「制限条件なしにコピー可」のコピー制御情報を付加された録画データの出力を指示された場合、図３に示す出力制御処理を実行せずに、そのままユーザによって指定された録画データをフォーマット変換して出力するようにフォーマット変換装置１０１ｄに指示する。
【００４７】
録画データ管理装置１０１ａは、ユーザによって指定された録画データがリムーバブルメディア１０２に出力してよいデータであるか否かを確認し、問題がなければフォーマット変換装置１０１ｄに対して録画データを変換して出力するように指示する。本実施の形態では、録画データ管理装置１０１ａは、録画情報テーブル１０１ｂにもとづいて、指定された録画データが現在外部出力状態か否かを判断する（ステップＳ１１）。外部出力中であると判断すると、録画データ管理装置１０１ａは、指定された録画データについての操作を一切禁止し（ステップＳ１２）、そのまま処理を終了する。
【００４８】
出力中でないと判断すると、録画データ管理装置１０１ａは、指定された録画データが操作中であるか否か判断する（ステップＳ１３）。例えば、録画データ管理装置１０１ａは、録画データが再生、編集または移動の操作中であるか否かを判断する。操作中であると判断すると、録画データ管理装置１０１ａは、指定された録画データについての外部出力を行わず（ステップＳ１４）、そのまま処理を終了する。
【００４９】
操作中でないと判断すると、録画データ管理装置１０１ａは、指定された録画データに対応する録画情報テーブル１０１ｂの出力状態情報２４を「リムーバブルメディア出力中」に変更する。また、録画データ管理装置１０１ａは、出力先のリムーバブルメディア１０２のユニークなＩＤをリムーバブルメディア装置１０１ｅを介して読み出し、録画情報テーブル１０１ｂのメディアＩＤ２５として記録する（ステップＳ１５）。そして、録画データ管理装置１０１ａは、録画データのフォーマット変換とリムーバブルメディア装置１０１ｅへの出力を、フォーマット変換装置１０１ｄに指示する（ステップＳ１６）。
【００５０】
フォーマット変換装置１０１ｄは、録画データ記録装置１０１ｃが蓄積する録画データのうちの指定された録画データをフォーマット変換してリムーバブルメディア装置１０１ｅに出力する。そして、リムーバブルメディア装置１０１ｅは、挿入されているリムーバブルメディア１０２にフォーマット変換済みの録画データを書き込む。
【００５１】
次に、新たにリムーバブルメディア１０２がリムーバブルメディア装置１０１ｅに挿入された場合の動作を説明する。図４は、新たにリムーバブルメディア１０２がリムーバブルメディア装置１０１ｅに挿入された際に録画データ管理装置１０１ａが実行する制御処理の一例を示す流れ図である。録画データ管理装置１０１ａは、例えば、ユーザによってリムーバブルメディア１０２が新たにリムーバブルメディア装置１０１ｅに挿入されると、制御処理を実行する。
【００５２】
録画データ管理装置１０１ａは、新たに挿入されたリムーバブルメディア１０２のＩＤをリムーバブルメディア装置１０１ｅを介して抽出し、録画情報テーブル１０１ｂに含まれるメディアＩＤ２５の中にリムーバブルメディア１０２のＩＤと一致するものがあるか否か判断する（ステップＳ２１）。すなわち、録画データ管理装置１０１ａは、新たに挿入されたリムーバブルメディア１０２のＩＤを確認し、録画情報テーブル１０１ｂに、リムーバブルメディア１０２に現在出力中となっている録画データの情報が存在するか否か確認する。ＩＤが一致する録画データの情報がないと判断すると、録画データ管理装置１０１ａは、そのまま処理を終了する。
【００５３】
ＩＤが一致する録画データの情報があると判断すると、録画データ管理装置１０１ａは、ＩＤが一致した録画データが全てリムーバブルメディア１０２に存在するか否か判断する（ステップＳ２２）。録画データが全てリムーバブルメディア１０２に存在すると判断すると、録画データ管理装置１０１ａは、そのまま処理を終了する。
【００５４】
存在しない（すなわち、リムーバブルメディア１０２から削除されている）録画データがあると判断すると、録画データ管理装置１０１ａは、削除されている録画データに対応する録画情報テーブル１０１ｂの出力状態情報２４およびメディアＩＤ２５の内容を空に更新する（ステップＳ２３）。すなわち、録画データ管理装置１０１ａは、録画情報テーブル１０１ｂを更新して、録画データ記録装置１０１ｃに記憶されているオリジナルの録画データへの操作を許可する。
【００５５】
次に、録画装置１０１に挿入されたリムーバブルメディア１０２に記憶されている録画データを削除する動作を説明する。図５は、リムーバブルメディア１０２に記憶されている録画データを削除する際に録画データ管理装置１０１ａが実行する削除制御処理の一例を示す流れ図である。録画データ管理装置１０１ａは、例えば、ユーザによって録画データの削除を指示されると、録画データの削除制御処理を実行する。
【００５６】
録画データ管理装置１０１ａは、ユーザによって指定された録画データの削除をリムーバブルメディア装置１０１ｅに指示する（ステップＳ３１）。すると、リムーバブルメディア装置１０１ｅは、指示された録画データをリムーバブルメディア１０２から削除する。また、録画データ管理装置１０１ａは、削除した録画データの情報が録画情報テーブル１０１ｂに保持されているか否かを確認する。具体的には、録画データ管理装置１０１ａは、削除した録画データのデータ名が録画データ名称２１と一致し、リムーバブルメディア１０２のＩＤがメディアＩＤ２５と一致する録画データの情報が録画情報テーブル１０１ｂに含まれるか否か判断する（ステップＳ３２）。録画データ名称２１およびメディアＩＤ２５が一致する録画データの情報が含まれないと判断すると、録画データ管理装置１０１ａは、そのまま処理を終了する。
【００５７】
録画データ名称２１およびメディアＩＤ２５が一致する録画データの情報が含まれると判断すると、録画データ管理装置１０１ａは、録画情報テーブル１０１ｂに含まれる情報のうち、録画データ名称２１およびメディアＩＤ２５が一致する録画データに対応する出力状態情報２４およびメディアＩＤ２５の内容を空に更新する（ステップＳ３３）。すなわち、録画データ管理装置１０１ａは、録画情報テーブル１０１ｂを更新して、録画データ記録装置１０１ｃに記憶されているオリジナルの録画データへの操作を許可する。
【００５８】
以上のように、本実施の形態によれば、録画装置１０１からリムーバブルメディア１０２に「１世代のみコピー可」のコピー制御信号が付加された録画データを出力する際に、録画データ記録装置１０１ｃが記憶する録画データをフォーマット変換装置１０１ｄがフォーマット変換する。そして、リムーバブルメディア装置１０１ｅがフォーマット変換後の録画データをリムーバブルメディア１０２に書き込む。また、録画データ管理装置１０１ａは、出力した録画データに対応する録画情報テーブル１０１ｂの情報を「出力中」と記録することによって、録画装置１０１内のオリジナルの録画データの再生や移動、コピーなどの一切の操作を禁止する。
【００５９】
従って、「１世代のみコピー可」のコピー制御信号が付加された高品質な録画データ（デジタルコンテンツ）を携帯端末を用いて持ち歩けるようすることができ、かつオリジナルの録画データを品質を維持したまま録画装置に保存しておくことができる。すなわち、本実施の形態によれば、録画装置１０１のオリジナルの録画データを操作禁止として録画装置１０１内に保存したままリムーバブルメディア１０２に出力する。そして、リムーバブルメディア１０２内の録画データを削除した後にオリジナルの録画データの操作を可能とすることによって、録画データの品質を低下させることなく携帯用のフォーマットに変換して持ち運べるようにすることができる。
【００６０】
また、本実施の形態によれば、再生端末１０３は、リムーバブルメディア装置１０３ａを用いてリムーバブルメディア１０２から録画データを読み出し、ストリーム再生装置１０３ｂを用いて再生する。また、ユーザの指示入力に従ってストリーム管理装置１０３ｃがリムーバブルメディア１０２内の録画データを削除した後に、リムーバブルメディア１０２を録画装置のリムーバブルメディア装置１０１ｅに挿入すると、録画データ管理装置１０１ａが自動的に削除された録画データを検出する。そして、録画データ管理装置１０１ａが削除データに対応する録画情報テーブル１０１ｂの出力中情報を更新することによって、録画データの再生や移動等の操作を再度可能とすることができる。
【００６１】
また、本実施の形態によれば、ユーザの指示入力に従って録画装置１０１のリムーバブルメディア装置１０１ｅを用いてリムーバブルメディア１０２内の録画データを削除すると、録画データ管理装置１０１ａが録画情報テーブル１０１ｂの出力状態情報２４（出力中情報）を自動的に更新する。録画データ管理装置１０１ａが対応する出力中情報を自動更新することによって、オリジナルの録画データの操作を再度可能とすることができる。
【００６２】
実施の形態２．  
次に、本発明の第２の実施の形態を図面を参照して説明する。本実施の形態では、第１の実施の形態と同様に、再生端末向けにフォーマット変換してリムーバブルメディアで録画データを持ち歩けるようにし、録画装置のオリジナルの録画データの品質を維持したまま保存する。また、本実施の形態では、第１の実施の形態における効果に加えて、録画データの削除手段の追加によってコンテンツコピー制御をより簡単化している。
【００６３】
図６は、コンテンツコピー制御装置の他の構成例を示すブロック図である。図６に示すように、本実施の形態では、図１に示した録画装置１０１の構成に加えて録画装置２０１がタイマ装置２０１ｆを含む点で、第１の実施の形態と相違する。また、本実施の形態では、録画データ管理装置２０１ａおよびストリーム管理装置２０３ｃの機能が、録画データ管理装置１０１ａおよびストリーム管理装置１０３ｃの機能と異なる点で、第１の実施の形態と相違する。なお、本実施の形態において、録画データ管理装置２０１ａおよびストリーム管理装置２０３ｃ以外の構成要素の機能は、第１の実施の形態で示したそれらの機能と同様である。
【００６４】
タイマ装置２０１ｆは、録画データをリムーバブルメディア１０２に出力してから所定時間が経過すると、所定時間が経過した旨を録画データ管理装置２０１ａに通知する機能を備える。本実施の形態では、タイマ装置２０１ｆは、所定時間が経過した旨を通知することによって、録画データ管理装置２０１ａに対して、リムーバブルメディア１０２に出力した録画データに対応する出力状態情報２４とメディアＩＤ２５の内容を空（すなわち、出力中でない状態）に戻すように指示する。
【００６５】
録画データ管理装置（削除時間設定手段）２０１ａは、録画データをリムーバブルメディア１０２に出力する際に、録画データが自動削除されるべき時刻を示す情報を、録画データに付加する機能を備える。また、録画データ管理装置２０１ａは、録画データの出力時刻から予め定められた所定時間経過後にタイマ装置２０１ｆが動作するように、タイマ装置２０１ｆを設定する機能を備える。
【００６６】
例えば、録画データ管理装置２０１ａは、リムーバブルメディア１０２に、削除予定時刻を含むファイルを録画データとは別に書き込むことによって、録画データが自動削除されるべき時刻情報を付加する。また、録画データ管理装置２０１ａは、例えば、フォーマット変換後の録画データに含まれるユーザ領域のうちの書き込み可能な領域に時刻情報を付加することによって、録画データが自動削除されるべき時刻情報を付加する。
【００６７】
ストリーム管理装置２０３ｃは、リムーバブルメディア装置１０３ａに挿入されたリムーバブルメディア１０２に記憶されている録画データに自動削除されるべき時刻情報が付加されている場合、その付加されている時刻情報を検出する機能を備える。また、ストリーム管理装置２０３ｃは、検出した時刻情報が現在の時刻を過ぎている録画データを、リムーバブルメディア１０２から削除する機能を備える。
【００６８】
次に、動作について説明する。録画データ管理装置２０１ａは、例えば、「１世代のみコピー可」のコピー制御情報を付加された録画データの出力をユーザによって指示されると、録画データのリムーバブルメディア１０２への出力制御処理を開始する。録画データ管理装置２０１ａは、録画データ記録装置１０１ｃに蓄積されている録画データをリムーバブルメディア１０２に出力する際に、予め定められた所定時間経過後に起動するようにタイマ装置２０１ｆを設定する。また、設定したタイマ装置２０１ｆの起動時刻を録画データの自動削除時刻としてリムーバブルメディア１０２に書き込む。
【００６９】
タイマ装置２０１ｆは、設定された所定時刻が経過すると起動し、録画データ管理装置２０１ａに対して、リムーバブルメディア１０２に出力した録画データの出力状態情報２４およびメディアＩＤ２５を更新（出力中でない状態に変更）するように指示する。すると、録画データ管理装置２０１ａは、更新指示された録画データに対応する録画情報テーブル１０１ｂの出力状態情報２４およびメディアＩＤ２５の内容を空に更新する。すなわち、録画データ管理装置２０１ａは、更新指示された録画データを出力中でない状態に戻す。
【００７０】
ストリーム管理装置２０３ｃは、リムーバブルメディア装置１０３ａに挿入されたリムーバブルメディア１０２に記憶されている録画データに自動削除時刻が設定されている場合、自動削除時刻になるとリムーバブルメディア１０２から削除対象の録画データを削除する。また、ストリーム管理装置２０３ｃは、自動削除時刻を既に過ぎていると判断すると、リムーバブルメディア１０２から削除対象の録画データを削除する。
【００７１】
以上のように、本実施の形態によれば、録画データの自動削除時刻を録画装置に指示するためのタイマ装置２０１ｆを備え、リムーバブルメディア１０２内の録画データを削除する追加の操作手段を備える。本実施の形態によれば、ユーザがリムーバブルメディア１０２から録画データを削除する入力指示をしなくても、リムーバブルメディア１０２への録画データ書き込み時刻から所定時間が経過すると、再生端末２０３のストリーム管理装置２０３ｃがリムーバブルメディア１０２内の録画データを自動削除する。
【００７２】
また、ストリーム管理装置２０３ｃが録画データを削除したのと同時刻に、録画装置２０１のタイマ装置２０１ｆが録画データ管理装置２０１ａに対して録画情報テーブル１０１ｂ内の出力状態情報２４を更新するように指示する。そして、録画データ管理装置２０１ａが出力状態情報２４を更新してオリジナルの録画データの操作を可能とする。従って、録画データを出力した後のリムーバブルメディア１０２からの録画データの削除が自動化され、ユーザの入力操作を簡単化することができる。
【００７３】
実施の形態３．  
次に、本発明の第３の実施の形態を図面を参照して説明する。本実施の形態では、第１の実施の形態と同様に、再生端末向けにフォーマット変換してリムーバブルメディアで録画データを持ち歩けるようにし、録画装置のオリジナルの録画データの品質を維持したまま保存する。また、本実施の形態では、第１の実施の形態における効果に加えて、録画データの削除操作の通知手段の追加によってコンテンツコピー制御をより簡単化している。
【００７４】
図７は、コンテンツコピー制御装置のさらに他の構成例を示すブロック図である。図７に示すように、本実施の形態では、図１で示した録画装置１０１の構成に加えて通信装置３０１ｆおよび通信装置３０３ｄを含む点で、第１の実施の形態と相違する。また、本実施の形態では、録画データ管理装置３０１ａおよびストリーム管理装置３０３ｃの機能が、録画データ管理装置１０１ａおよびストリーム管理装置１０３ｃの機能と異なる点で、第１の実施の形態と相違する。なお、本実施の形態において、録画データ管理装置３０１ａおよびストリーム管理装置３０３ｃ以外の構成要素の機能は、第１の実施の形態で示したそれらの機能と同様である。
【００７５】
通信装置３０１ｆは、例えば、録画装置３０１に接続された携帯電話機やＰＨＳによって実現される。また、通信装置３０１ｆは、例えば、固定電話網接続機能やＩＰ電話機能、無線ＬＡＮ接続機能、赤外線通信機能を備えるインタフェース部など様々な通信手段によって実現される。
【００７６】
通信装置３０１ｆは、再生端末３０３に挿入されたリムーバブルメディア１０２から録画データが削除された旨の情報（以下、削除通知情報という）を通信装置３０３ｄから受け取る（受信する）機能を備える。また、通信装置３０１ｆは、受信した削除通知情報を録画データ管理装置３０１ａに伝える（出力する）機能を備える。また、通信装置３０１ｆは、外部出力中になっているオリジナルの録画データを用いて録画装置３０１側で操作したい場合に、録画データ管理装置３０１ａから入力された録画データ削除命令を、再生端末３０３の通信装置３０３ｄに送信する機能を備える。
【００７７】
録画データ管理装置３０１ａは、通信装置３０１ｆから受信した削除通知情報にもとづいて、削除された録画データに対応する録画情報テーブル１０１ｂの出力状態情報２４を更新する（出力していない状態に戻す）機能を備える。また、録画データ管理装置３０１ａは、外部出力状態の録画データを録画装置３０１側でユーザが操作指示する場合に、出力先のリムーバブルメディア１０２が挿入された再生端末３０３に対して操作対象の録画データの削除を指示する情報（以下、削除指示情報という）を、通信装置３０１ｆに出力する機能を備える。
【００７８】
ストリーム管理装置３０３ｃは、再生端末３０３に挿入されたリムーバブルメディア１０２から録画データを削除した際に、リムーバブルメディア１０２のＩＤと削除したデータのコンテンツ名とを通信装置３０３ｄに出力する機能を備える。また、ストリーム管理装置３０３ｃは、削除指示情報を通信装置３０３ｄから受け取った場合に、削除対象の録画データをリムーバブルメディア１０２から削除する機能を備える。
【００７９】
通信装置３０３ｄは、例えば、ポータブルプレイヤである再生端末３０３に接続された携帯電話機やＰＨＳによって実現される。また、通信装置３０３ｄは、例えば、固定電話網接続機能やＩＰ電話機能、無線ＬＡＮ接続機能、赤外線通信機能を備えるインタフェース部など様々な通信手段によって実現される。
【００８０】
通信装置（削除通知送信手段）３０３ｄは、リムーバブルメディア装置１０３ａに挿入されているリムーバブルメディア１０２から録画データをストリーム管理装置３０３ｃが削除した際に、削除通知情報を通信装置３０１ｆに通知する（送信する）機能を備える。この場合、通信装置３０３ｄは、リムーバブルメディア１０２のＩＤおよび削除したデータのコンテンツ名を含む削除通知情報を送信する。また、通信装置３０３ｄは、通信装置３０１ｆから削除指示情報を受け取った（受信した）場合に、受信した削除指示情報をストリーム管理装置３０３ｃに通知する（出力する）機能を備える。
【００８１】
次に、動作について説明する。まず、再生端末３０３側でリムーバブルメディア１０２から録画データが削除された場合の動作を説明する。例えば、ユーザによって録画データの削除を指示されると、ストリーム管理装置３０３ｃは、削除指示された録画データをリムーバブルメディア１０２から削除する。再生端末３０３に挿入されたリムーバブルメディア１０２から録画データを削除すると、ストリーム管理装置３０３ｃは、リムーバブルメディア１０２のＩＤと削除した録画データの名称（コンテンツ名）とを通信装置３０３ｄに出力する。すると、通信装置３０３ｄは、リムーバブルメディア１０２のＩＤおよび削除した録画データ名称を含む削除通知情報を、再生端末３０３の通信装置３０１ｆに送信する。
【００８２】
通信装置３０１ｆは、受信した削除通知情報を録画データ管理装置３０１ａに出力する。録画データ管理装置３０１ａは、削除通知情報にもとづいて録画情報テーブル１０１ｂを検索し、削除通知された録画データに対応する出力状態情報２４およびメディアＩＤ２５を空に更新する。すなわち、録画データ管理装置３０１ａは、出力状態情報２４およびメディアＩＤ２５を非出力状態に変更することによって、録画装置３０１側でオリジナルの録画データの操作を可能な状態に戻す。
【００８３】
次に、録画装置３０１側から録画データを削除指示された場合の動作を説明する。例えば、録画装置３０１にオリジナルデータが保存されたままリムーバブルメディア１０２に出力中となっている録画データの操作指示がユーザによって入力されると、録画データ管理装置３０１ａは、出力中の録画データの削除指示の処理を開始する。録画データ管理装置３０１ａは、リムーバブルメディア１０２が挿入されている再生端末３０３の通信装置３０３ｄへの削除指示情報の送信を通信装置３０１ｆに指示する。すると、通信装置３０１ｆは、削除指示情報を通信装置３０３ｄに送信する。
【００８４】
通信装置３０３ｄは、受信した削除指示情報をストリーム管理装置３０３ｃに出力する。ストリーム管理装置３０３ｃは、削除指示情報にもとづいて、削除指示された録画データをリムーバブルメディア装置１０３ａに削除させる。また、録画装置３０１の録画データ管理装置３０１ａは、削除要求した録画データに対応する録画情報テーブル１０１ｂの出力状態情報２４およびメディアＩＤ２５を空に更新する。すなわち、録画データ管理装置３０１ａは、出力状態情報２４およびメディアＩＤ２５を非出力状態に変更することによって、録画装置３０１側でオリジナルの録画データの操作を可能な状態に戻す。
【００８５】
以上のように、本実施の形態によれば、録画データの削除操作を録画装置３０１に通知するための通信装置３０３ｄを備え、再生端末３０３での録画データ削除操作の通知手段を備える。本実施の形態によれば、リムーバブルメディア１０２を録画装置３０１に挿入しなくても、再生端末３０３と通信することによってリムーバブルメディア１０２内のデータの削除状況を把握して、オリジナルの録画データを操作可能とするか否かの制御を行うことができる。
【００８６】
また、本実施の形態によれば、録画装置３０１側でオリジナルの録画データの操作指示を行いたい状況が発生した場合に、通信装置３０１ｆ，３０３ｄを用いて、携帯端末（再生端末３０３）に挿入されているリムーバブルメディア１０２内の録画データを削除することができる。そのため、通信装置３０１ｆ，３０３ｄを用いた遠隔操作によって、オリジナルの録画データを録画装置３０１側で操作可能とすることができる。従って、録画データを書き込んだリムーバブルメディア１０２の録画データの削除動作およびオリジナルの録画データの再生要求を通信手段を用いて通知でき、ユーザの入力操作を簡単化することができる。
【００８７】
実施の形態４．  
次に、本発明の第４の実施の形態を図面を参照して説明する。本実施の形態では、リムーバブルメディア装置１０１ｅ，１０３ａに代えて、録画装置４０１および再生端末４０３がデジタルストリームを入出力する入出力端子を備えることによって、第１の実施の形態と同様の効果を得ることができる。
【００８８】
図８は、コンテンツコピー制御装置のさらに他の構成例を示すブロック図である。図８に示すように、本実施の形態では、図１で示したリムーバブルメディア装置１０１ｅに代えて、録画装置４０１が録画データ出力部４０１ｅを含む点で、第１の実施の形態と相違する。また、図１で示したリムーバブルメディア装置１０３ａに代えて、再生端末４０３がストリーム入力部４０３ａを含む点で、第１の実施の形態と相違する。また、図１で示した再生端末１０３の構成に加えて、再生端末４０３がストリーム記録装置４０３ｄを含む点で、第１の実施の形態と相違する。
【００８９】
また、本実施の形態では、録画データ管理装置４０１ａおよびストリーム管理装置４０３ｃの機能が、録画データ管理装置１０１ａおよびストリーム管理装置１０３ｃの機能と異なる点で、第１の実施の形態と相違する。さらに、本実施の形態では、録画情報テーブル４０１ｂの内容が録画情報テーブル１０１ｂの内容と異なる点で、第１の実施の形態と相違する。なお、本実施の形態において、録画データ管理装置４０１ａおよびストリーム管理装置４０３ｃ以外の構成要素の機能は、第１の実施の形態で示したそれらの機能と同様である。
【００９０】
録画データ管理装置４０１ａは、録画データ記録装置１０１ｃに蓄積されている録画データの再生端末４０３への出力をフォーマット変換装置１０１ｄに指示し、出力させた録画データを録画情報テーブル４０１ｂに記録する機能を備える。また、録画データ管理装置４０１ａは、録画装置４０１に接続された再生端末４０３のストリーム記録装置４０３ｄに記憶されている録画データを確認し、ストリーム記録装置４０３ｄから削除されている録画データの情報を録画情報テーブル４０１ｂに反映する機能を備える。また、録画データ管理装置４０１ａは、録画装置４０１に接続されている再生端末４０３のストリーム記録装置４０３ｄからの録画データの削除を指示する機能を備えてもよい。
【００９１】
録画情報テーブル４０１ｂは、録画データ記録装置１０１ｃに蓄積されている録画データの一覧情報を含むテーブルである。本実施の形態では、録画情報テーブル４０１ｂは、録画データ管理装置４０１ａからの指示にもとづき録画データ記録装置１０１ｃに蓄積されている録画データを管理するために用いられる。
【００９２】
図９は、録画情報テーブル４０１ｂの内容の例を示す説明図である。図９に示すように、録画情報テーブル４０１ｂは、録画データ名称９１（「ＡＡＡ」〜「ＤＤＤ」）に対応付けて、それぞれ録画時間９２、コピー制御情報９３、録画データの出力状態（出力状態情報）９４、および出力先の再生端末ＩＤ９５を含む。
【００９３】
図９において、録画データ名称９１は、録画データ記録装置１０１ｃが記憶する録画データのデータ名である。録画時間９２は、各録画データの録画時間である。コピー制御情報９３は、録画データに付加されているコピー制御情報（信号）である。
【００９４】
出力状態情報９４は、録画データが外部の再生端末に出力されているか否かを示す情報である。例えば、録画データが外部の再生端末に出力中である場合、録画情報テーブル４０１ｂは、その出力中の録画データに対応する出力状態情報９４として「再生端末出力中」を含む。再生端末ＩＤ９５は、録画データが出力されている再生端末のＩＤである。例えば、録画データが外部の再生端末に出力中である場合、録画情報テーブル４０１ｂは、その出力中の録画データに対応する再生端末ＩＤ９５としてＩＤ「１２３４５６７８９０」などを含む。
【００９５】
出力先の再生端末ＩＤ９５については、再生端末４０３のシリアル番号や、再生端末４０３で用いられているチップのＩＤ、再生端末４０３のネットワークデバイスのＭＡＣアドレスなどを再生端末ＩＤ９５として用いればよい。また、ＩＤを持たない再生端末４０３を用いる場合、録画データを再生端末４０３に出力する際に再生端末４０３ごとにユニークなＩＤを生成して、再生端末４０３の記憶装置（図示せず）などに書き込んでもよい。
【００９６】
なお、図９において、コピー制御情報９３「１世代のみコピー可」の録画データの情報うち出力状態情報９４および再生端末ＩＤ９５が空欄となっている録画データの情報は、その録画データが外部の再生端末に出力中でないことを示す。例えば、図９に示す例では、録画データ名称９１「ＡＡＡ」，「ＤＤＤ」の録画データが外部の再生端末に出力中であることを示し、録画データ名称９１「ＣＣＣ」の録画データが外部の再生端末に出力中でないことを示す。
【００９７】
録画データ出力部４０１ｅは、例えば、録画装置４０１が備えるＩＥＥＥ１３９４規格やＵＳＢ規格による入出力インタフェース部、イーサネット（登録商標）規格によるネットワークインタフェース部などによって実現される。また、録画データ出力部４０１ｅは、例えば、無線ＬＡＮに接続可能なネットワークインタフェース部など、録画データの転送ができる他の様々なデバイスによって実現される。
【００９８】
録画データ出力部４０１ｅは、フォーマット変換装置１０１ｄから入力されたフォーマット変換済み録画データを、再生端末４０３のストリーム入力部４０３ａに出力する機能を備える。また、録画データ出力部４０１ｅは、新たに接続された再生端末４０３のストリーム記録装置４０３ｄに記憶されている録画データを読み込む機能を備える。また、録画データ出力部４０１ｅは、録画データ管理装置４０１ａから再生端末４０３内の録画データの削除を指示された場合に、録画装置４０１に接続されている再生端末４０３にデータの削除を指示する機能を備えてもよい。
【００９９】
ストリーム入力部４０３ａは、例えば、再生端末４０３が備えるＩＥＥＥ１３９４規格やＵＳＢ規格による入出力インタフェース部、イーサネット（登録商標）規格によるネットワークインタフェース部などによって実現される。また、ストリーム入力部４０３ａは、例えば、無線ＬＡＮに接続可能なネットワークインタフェース部など、録画データの転送ができる他の様々なデバイスによって実現される。
【０１００】
ストリーム入力部４０３ａは、録画データ出力部４０１ｅから入力された録画データを、ストリーム記録装置４０３ｄに記憶させる機能を備える。また、ストリーム入力部４０３ａは、録画データ出力部４０１ｅからストリーム記録装置４０３ｄ内の録画データの削除を指示する削除指示情報が入力された場合に、削除指示された録画データをストリーム記録装置４０３ｄに削除させる機能を備えてもよい。
【０１０１】
ストリーム管理装置４０３ｃは、ストリーム記録装置４０３ｄに蓄積されている録画データの再生や出力を、ストリーム再生装置１０３ｂに指示する機能を備える。また、ストリーム管理装置４０３ｃは、ストリーム記録装置４０３ｄに蓄積されている録画データを削除する機能を備える。
【０１０２】
ストリーム記録装置４０３ｄは、具体的には、ハードディスク装置やＤＶＤ−ＲＡＭ、メモリなどによって実現される。ストリーム記録装置４０３ｄは、録画装置４０１から入力されたフォーマット変換済み録画データを蓄積する機能を備える。本実施の形態では、再生端末４０３がストリーム記録装置４０３ｄを備えることによって、録画データ出力部４０１ｅとストリーム入力部４０３ａとの接続が解除されても、再生端末４０３を用いて録画データを再生することができる。
【０１０３】
本実施の形態において、録画データ出力手段は、録画データ出力部４０１ｅによって実現される。録画データ入力手段は、ストリーム入力部４０３ａによって実現される。録画データ記憶手段は、ストリーム記録装置４０３ｄによって実現される。
【０１０４】
次に、動作について説明する。まず、録画装置４０１の録画データを再生端末４０３に出力する場合の動作について説明する。録画データ管理装置４０１ａは、例えば、「１世代のみコピー可」のコピー制御情報を付加された録画データの出力をユーザによって指示されると、録画データの再生端末４０３への出力制御処理を実行する。録画データ管理装置４０１ａは、録画データを出力してよいか否か録画情報テーブル４０１ｂの出力状態情報９４にもとづいて確認し、問題がなければ録画データ出力部４０１ｅからフォーマット変換済みの録画データを出力するように指示する。
【０１０５】
本実施の形態では、録画データ管理装置４０１ａは、録画情報テーブル４０１ｂの出力状態情報９４にもとづいて、ユーザによって指定された録画データを再生端末４０３に出力してよいか否かを判断する。録画データ管理装置４０１ａが録画データの出力可否を判断する方法は、第１の実施の形態における録画データ管理装置１０１ａが録画データの出力可否を判断する方法と同様である。具体的には、録画データ管理装置４０１ａは、出力状態情報９４が「再生端末出力中」でなければ、録画データを出力してよいと判断する。また、録画データ管理装置４０１ａは、出力状態情報９４が「再生端末出力中」であれば、録画データを出力できないと判断し、そのまま処理を終了する。
【０１０６】
録画データを出力してもよいと判断すると、録画データ管理装置４０１ａは、フォーマット変換装置１０１ｄからのフォーマット変換済み録画データを出力するように録画データ出力部４０１ｅに指示する。すると、録画データ出力部４０１ｅは、フォーマット変換済み録画データを再生端末４０３のストリーム入力部４０３ａに出力する。そして、ストリーム入力部４０３ａは、録画データ出力部４０１ｅから入力された録画データを、ストリーム記録装置４０３ｄに記憶させる。
【０１０７】
次に、新たに再生端末４０３を録画装置４０１に接続した場合の動作を説明する。録画データ管理装置４０１ａは、例えば、ユーザによって再生端末４０３が新たに録画装置４０１に接続されると、制御処理を実行する。
【０１０８】
録画データ管理装置４０１ａは、新たに接続された再生端末４０３のＩＤを確認し、録画情報テーブル４０１ｂにもとづいて、現在出力中の録画データが存在しないか否か確認する。具体的には、録画データ管理装置４０１ａは、再生端末４０３からＩＤを抽出し、再生端末ＩＤ９５が抽出したＩＤと一致する録画データがあるか否か判断する。
【０１０９】
録画データ管理装置４０１ａは、現在出力中となっている録画データが再生端末４０３のストリーム記録装置４０３ｄに全て記憶されているか否かを判断する。出力中となっている録画データのうち再生端末４０３から削除されている録画データがある場合、録画データ管理装置４０１ａは、その削除されている録画データに対応する録画情報テーブル４０１ｂの出力状態情報９４および再生端末ＩＤ９５を空に更新する。すなわち、録画データ管理装置４０１ａは、録画情報テーブル４０１ｂを更新して、録画データ記録装置１０１ｃに記憶されているオリジナルの録画データの再生などの他の操作を許可する。
【０１１０】
次に、録画装置４０１に接続された再生端末４０３のストリーム記録装置４０３ｄに蓄積されている録画データを削除する場合の動作を説明する。録画データ管理装置４０１ａは、例えば、ユーザによって録画データの削除を指示されると、録画データの削除制御処理を実行する。
【０１１１】
録画データ管理装置４０１ａは、ユーザによって指定された録画データの削除を録画データ出力部４０１ｅに指示する。すると、録画データ出力部４０１ｅは、録画データの削除指示をストリーム入力部４０３ａに通知する。すなわち、録画データ出力部４０１ｅは、録画データ管理装置４０１ａの指示に従って削除指示情報をストリーム入力部４０３ａに出力する。削除指示情報が入力されると、ストリーム入力部４０３ａは、削除指示された録画データをストリーム記録装置４０３ｄから削除する。
【０１１２】
録画データ管理装置４０１ａは、再生端末４０３から削除した録画データの情報が録画情報テーブル４０１ｂに保持されているか否か判断する。すなわち、録画データ管理装置４０１ａは、削除した録画データに対応する録画情報テーブル４０１ｂの出力状態情報９４が「再生端末出力中」になっているか否かを判断する。録画データ管理装置４０１ａは、再生端末４０３から削除した録画データの情報が録画情報テーブル４０１ｂに保持されていると判断した場合、削除した録画データに対応する録画情報テーブル４０１ｂの出力状態情報９４および再生端末ＩＤ９５を空に更新する。すなわち、録画データ管理装置４０１ａは、録画情報テーブル４０１ｂを更新して、録画データ記録装置１０１ｃに記憶されているオリジナルの録画データの再生など他の操作を許可する。
【０１１３】
以上のように、本実施の形態によれば、コンテンツコピー制御装置は、リムーバブルメディア装置１０１ｅの代わりに、ＩＥＥＥ１３９４などの規格による録画データ出力部４０１ｅを備える録画装置４０１を含む。また、コンテンツコピー制御装置は、ＩＥＥＥ１３９４などの規格によるストリーム入力部４０３ａと、録画装置４０１から受け取った録画データを蓄積するストリーム記録装置４０３ｄとを備える再生端末４０３を含む。
【０１１４】
従って、リムーバブルメディアを用いなくても、ストリーム入出力端子と、ストリームデータを記憶するハードディスク装置などを備えた再生端末４０３および再生端末４０３を用いることによって、第１の実施の形態と同様に、オリジナルの録画データを品質を維持したまま録画装置に保存しておくという効果を得ることができる。
【産業上の利用可能性】
【０１１５】
本発明によるコンテンツコピー制御装置は、コピー制御信号を付加されたデジタルテレビ放送などのデジタルコンテンツをリムーバブルメディアにコピーする用途に適用できる。特に、「１世代のみコピー可」のコピー制御信号を付加されたコンテンツをフォーマット変換して、携帯端末を用いて持ち運べるようするとともに、録画装置側のオリジナルのコンテンツの品質を維持したまま保存することができる。
【符号の説明】
【０１１６】
１０１    録画装置
１０１ａ  録画データ管理装置
１０１ｂ  録画情報テーブル
１０１ｃ  録画データ記録装置
１０１ｄ  フォーマット変換装置
１０１ｅ  リムーバブルメディア装置
１０２    リムーバブルメディア
１０３    再生装置
１０３ａ  リムーバブルメディア装置
１０３ｂ  ストリーム再生装置
１０３ｃ  ストリーム管理装置
【図１】
2012019529.tif 000003
【図２】
2012019529.tif 000004
【図３】
2012019529.tif 000005
【図４】
2012019529.tif 000006
【図５】
2012019529.tif 000007
【図６】
2012019529.tif 000008
【図７】
2012019529.tif 000009
【図８】
2012019529.tif 000010
【図９】
2012019529.tif 000011